(57)【要約】      （修正有）【課題】ボビンの鍔部を有効活用して連結できる軽量のラインフィルタを提供する。【解決手段】第１上鍔部１２と第１下鍔部１６を形成した第１筒状部１１を有する第１ボビンと、第１筒状部１１に巻回した第１巻線と、第２上鍔部２２と第２下鍔部２６を形成して第１筒状部１１と並行に配置した第２筒状部２１を有する第２ボビンと、第２筒状部２１に巻回した第２巻線と、第１ボビンと第２ボビンの間に位置した連結部材と、第１根元部４１ａと、第２根元部４２ａと、第１側脚４１ｂ、第２側脚４２ｂとを有する、閉磁路を形成したコアを、備えている。平面視で、連結部材は、コア４０の内周の内側に配置されて、かつ、第１上鍔部１２と第１下鍔部１６と第２上鍔部２２と第２下鍔部２６に連結されている。【選択図】図２
2017163129.tif 000002
【特許請求の範囲】
【請求項１】
第１上鍔部と第１下鍔部を形成する第１筒状部を有する第１ボビンと、
前記第１筒状部に巻回した第１巻線と、
第２上鍔部と第２下鍔部を形成して前記第１筒状部と並行に配置された第２筒状部を有する第２ボビンと、
前記第２筒状部に巻回した第２巻線と、
前記第１ボビンと前記第２ボビンの間に配置された連結部材と、
前記第１上鍔部と前記第２上鍔部の上方に配置された第１根元部と、前記第１下鍔部と前記第２下鍔部の下方に配置された第２根元部と、前記第１筒状部と前記第２筒状部に挿入した側脚を有する、閉磁路を形成したコアを、備えており、
平面視で、前記連結部材は、前記コアの内周の内側に配置され、かつ、前記第１上鍔部と前記第１下鍔部と前記第２上鍔部と前記第２下鍔部に連結されていることを特徴とするラインフィルタ。
【請求項２】
前記連結部材は、連結筒状部と第１連結片と第２連結片と第３連結片と第４連結片を有し、
前記第１連結片と前記第２連結片と前記第３連結片と前記第４連結片は、前記第１上鍔部と前記第１下鍔部と前記第２上鍔部と前記第２下鍔部に、それぞれ連結されており、
正面視で、前記第１ボビンと前記第２ボビンは、同じ全高に形成していると共に、高さ方向で同じ位置に配置しており、
正面視で、前記連結部材は、前記第１ボビンと前記第２ボビンの全高以内に全て配置されていることを特徴とする請求項１に記載のラインフィルタ。
【請求項３】
前記コアは、前記連結筒状部に挿入した中央脚を有することを特徴とする請求項１または２に記載のラインフィルタ。
【発明の詳細な説明】
【技術分野】
【０００１】
本発明は、各種の電子機器、電子装置などのノイズ対策用のラインフィルタに関するものであり、特に、ＥＩ型、ＥＥ型等の磁芯（コア）を突き合わせ、その両側脚を覆って巻線を施したボビンを固定するためのベース（連結部材）を有するラインフィルタに関する。
【背景技術】
【０００２】
例えば、ＥＩ型、ＥＥ型の磁芯が突き合わされてその両側脚を覆うボビンの巻線部分に絶縁テープを巻回して、磁芯と巻線の絶縁を行うラインフィルタがある。このようなラインフィルタでは、側脚を挿入するボビンの貫通孔と側脚との間にはボビンと側脚との組立を容易にするための空隙が設けられている。
しかし、このようなラインフィルタでは、絶縁テープを巻回するのに時間がかかり、また、上述の空隙により２個のボビンにはがたつきが生じる問題がある。
【０００３】
この問題を解決するため、例えば、特許文献１には、根元部とこの根元部から直角方向に突出した両側脚と中央脚を有するＥ型磁芯と、Ｅ型磁芯の両側脚を覆い鍔部間に巻線を巻回したボビンと、Ｅ型磁芯の中央脚と巻線を絶縁する２枚の仕切り板を有すると共にボビンを固定したベースと、を備えたラインフィルタが記載されている。
このベースの端部には、ボビンの最外側面に設けられた凹部と係合する保持片（連結部）が設けられている。またボビンの鍔部は、Ｅ型磁芯の根元部と巻線との絶縁距離を確保するため所定の長さを有する。
このラインフィルタでは、２個のボビンがベースにがたつきなく連結されており、巻線の外周に絶縁テープが巻回されずに、Ｅ型磁芯の中央脚と巻線の絶縁を容易に確実に行うことができる。
【先行技術文献】
【特許文献】
【０００４】
【特許文献１】特開平９−８２５３２号公報
【発明の概要】
【発明が解決しようとする課題】
【０００５】
しかしながら、従来例のようなラインフィルタでは、Ｅ型磁芯の根元部と巻線との絶縁距離を確保するため、所定の長さが必要であり、例えば、ベースとボビンの固定においてラインフィルタが大型化する。そこで、絶縁距離を確保しつつその長さを効率よく使う点でボビンの鍔部に改善の余地がある。
つまり、従来例のようなラインフィルタでは、ベースの端部にボビンの最外側面に設けられた凹部と係合する保持片が設けられているため、平面視で、ベースの外形が大きくなりベースの重量が増加する。
【０００６】
そこで、本発明は、ボビンの鍔部を有効活用して連結できる軽量のラインフィルタを提供するものである。
【課題を解決するための手段】
【０００７】
上記の課題を解決するため、本発明では、
第１上鍔部と第１下鍔部を形成する第１筒状部を有する第１ボビンと、
前記第１筒状部に巻回した第１巻線と、
第２上鍔部と第２下鍔部を形成して前記第１筒状部と並行に配置された第２筒状部を有する第２ボビンと、
前記第２筒状部に巻回した第２巻線と、
前記第１ボビンと前記第２ボビンの間に配置された連結部材と、
前記第１上鍔部と前記第２上鍔部の上方に配置された第１根元部と、前記第１下鍔部と前記第２下鍔部の下方に配置された第２根元部と、前記第１筒状部と前記第２筒状部に挿入した側脚を有する、閉磁路を形成したコアを、備えており、
平面視で、前記連結部材は、前記コアの内周の内側に配置され、かつ、前記第１上鍔部と前記第１下鍔部と前記第２上鍔部と前記第２下鍔部に連結されていることを特徴とする。
【０００８】
本発明は、更なる特徴として、
「前記連結部材は、連結筒状部と第１連結片と第２連結片と第３連結片と第４連結片を有し、
前記第１連結片と前記第２連結片と前記第３連結片と前記第４連結片は、前記第１上鍔部と前記第１下鍔部と前記第２上鍔部と前記第２下鍔部に、それぞれ連結されており、
正面視で、前記第１ボビンと前記第２ボビンは、同じ全高に形成していると共に、高さ方向で同じ位置に配置しており、
正面視で、前記連結部材は、前記第１ボビンと前記第２ボビンの全高以内に全て配置されていること」、
「前記コアは、前記連結筒状部に挿入した中央脚を有すること」、
を含むものである。
【発明の効果】
【０００９】
本発明は、コアの根元部と巻線との所定の絶縁距離を確保するための鍔部を、有効に活用して、平面視で、連結部材の外形を、従来例のようなベース（連結部材）の外形より小さくできるため、軽量のラインフィルタを提供できる。
【図面の簡単な説明】
【００１０】
【図１】本発明の実施形態に係るラインフィルタの平面図（ａ）、正面図（ｂ）である。
【図２】図１のラインフィルタにおいて第１巻線１９と第２巻線２９を除いた平面図（ａ）と、正面図（ｂ）である。
【図３】本発明の実施形態におけるコア４０の平面図である。
【図４】本発明の実施形態における第１ボビン１０と第２ボビン２０と連結部材３０の組立図（ａ）と、正面図（ｂ）である。
【図５】本発明の実施形態の変形例３を示す。
【発明を実施するための形態】
【００１１】
本明細書では、ラインフィルタの平面視である図１（ａ）の上下方向を「筒軸方向」と呼び、筒軸を中心とする円の半径方向を「径方向」と呼び、図１の左右方向を「幅方向」と呼び、ラインフィルタの正面視である図１（ｂ）の上下方向を「高さ方向」と呼ぶ。なお、「筒軸方向」「径方向」「幅方向」「高さ方向」は、実際の機器に組み込まれたときの位置関係や方向を示すものではない。
【００１２】
以下、図面に基づいて本発明の実施の形態を例示的に説明する。
【００１３】
（実施形態）
【００１４】
図１ないし図４において、本実施形態におけるラインフィルタ１は、第１ボビン１０と、第２ボビン２０と、連結部材３０と、コア４０と、止め金具を有する。
【００１５】
第１ボビン１０と第２ボビン２０は、非磁性の熱硬化性樹脂からなる。なお、第１ボビン１０と第２ボビン２０は熱可塑性樹脂でもよい。
【００１６】
第１ボビン１０は、第１筒状部１１と、第１筒状部１１の筒軸方向の両端部に径方向外方に突出した第１上鍔部１２と第１下鍔部１６と、第１上鍔部１２の上端に設けられた第１上端子台１２ｃと、第１下鍔部１６の下端に設けられた第１下端子台１６ｃを有する。また、第１上端子台１２ｃと第１下端子台１６ｃにはＩ型の第１上端子１３と第１下端子１７が固定されている。
第１上鍔部１２と第１下鍔部１６の径方向の外形は、それぞれ同じ大きさである。第１上鍔部１２と第１下鍔部１６との間の第１筒状部１１の外周には絶縁被膜銅線からなる第１巻線１９が多層巻回されている。巻回された第１巻線１９の径方向の外形は、第１上鍔部１２と第１下鍔部１６の径方向の外形より若干小さく形成している。第１巻線１９の両終端は、第１上端子１３と第１下端子１７にそれぞれ電気的に接続されている。
【００１７】
第２ボビン２０は、第１筒状部１１の筒軸方向と並行に配置した第２筒状部２１と、第２筒状部２１の筒軸方向の両端部に径方向外方に突出した第２上鍔部２２と第２下鍔部２６と、第２上鍔部２２の上端に設けられた第２上端子台２２ｃと、第２下鍔部２６の下端に設けられた第２下端子台２６ｃを有する。また、第２上端子台２２ｃと第２下端子台２６ｃにＩ型の第２上端子２３と第２下端子２７が固定されている。
第２上鍔部２２と第２下鍔部２６の径方向の外形は、同じ大きさである。第２上鍔部２２と第２下鍔部２６との間の第２筒状部２１の外周には絶縁被膜銅線からなる第２巻線２９が多層巻回されている。巻回された第２巻線２９の径方向の外形は、第２上鍔部２２と第２下鍔部２６の径方向の外形より若干小さく形成している。第２巻線２９の両終端は、第２上端子２３と第２下端子２７にそれぞれ電気的に接続されている。
なお、第１ボビン１０と第２ボビン２０は同じ成形金型で作られており同一形状である。
【００１８】
このように、平面視で、第１ボビン１０の第１筒状部１１は、第２ボビン２０の第２筒状部２１と並行に配置しており、第１ボビン１０と第２ボビン２０は別体に配置されている。第１ボビン１０と第２ボビン２０が別体である理由は、並行に配置した２個のボビンが一体化されていると、第１筒状部１１と第２筒状部２１の外周に自動巻線機で巻線を巻回できないためである。
そして、正面視で、第１ボビン１０と第２ボビン２０は、同じ全高Ｈ２であると共に、高さ方向で同じ位置に配置されている。
【００１９】
第１筒状部１１と第２筒状部２１の筒軸方向に垂直な断面外形は矩形に形成されている。
第１筒状部１１と第２筒状部２１の筒軸方向に垂直な断面内形は矩形に形成されている。
【００２０】
連結部材３０は、非磁性の熱可塑性樹脂からなり、平面視で、第１ボビン１０と第２ボビン２０の間に配置されており、かつ、第１ボビン１０と第２ボビン２０にがたつきなく連結して、第１上下端子１３、１７と、第２上下端子２３、２７との端子間距離を決めるものである。この連結部材３０は、連結筒状部３１と、連結筒状部３１に一体成形した第１〜４連結片３２〜３５と第１〜４凸部３２ａ〜３５ａを有する。なお、連結部材３０は、熱硬化性樹脂でもよい。
【００２１】
平面視で、連結部材３０は、後述のコアの内周Ｒの内側に配置されて、第１上鍔部１２と第１下鍔部１６と第２上鍔部２２と第２下鍔部２６に連結されている。
具体的に、平面視で、コア４０の内周の内側に配された、第１連結片３２と第２連結片３３と第３連結片３４と第４連結片３５は、コア４０の内周の内側に配された、第１上鍔部１２と第１下鍔部１６と第２上鍔部２２と第２下鍔部２６にそれぞれ連結されている。
【００２２】
コアの内周Ｒとは、後述する図３の日の字型コアにおいて、第１根元部４１ａと第２根元部４２ａと第１側脚４１ｂと第２側脚４２ｂによって囲まれた内周を指し、平面視で連結部材３０の全体を囲える最小のコアの内周を指す。
【００２３】
第１連結片３２と第１上鍔部１２との連結部分には、第１連結部２ａが形成されている。
第１連結片３２は、連結筒状部３１の上端外周から第１ボビン側に突出しており、第１連結片３２の筒軸方向下面に、下方に向けて突出した第１凸部３２ａが設けられている。第１上鍔部１２の筒軸方向上面には、第１連結片３２と連結した第１連結溝１２ａと、第１連結溝１２ａの底部に第１凸部３２ａと嵌合した第１凹部１２ｂが形成されている。
【００２４】
第２連結片３３と第１下鍔部１６との連結部分には、第２連結部２ｂが形成されている。
第２連結片３３は、連結筒状部３１の下端外周から第１ボビン側に突出しており、第２連結片３３の筒軸方向上面に、上方に向けて突出した第２凸部３３ａが設けられている。第１下鍔部１６の筒軸方向の下面には、第２連結片３３と連結した第２連結溝１６ａと、第２連結溝１６ａの底部に第１凸部３３ａと嵌合した第２凹部１６ｂが形成されている。
【００２５】
第３連結片３４と第２上鍔部２２との連結部分には、第３連結部２ｃが形成されている。
第３連結片３４は、連結筒状部３１の上端外周から第２ボビン側に突出しており、第３連結片３４の筒軸方向下面に、下方に向けて突出した第３凸部３４ａが設けられている。第２上鍔部２２の筒軸方向の上面には、第３連結片３４と連結した第３連結溝２２ａと、第３連結溝２２ａの底部に第３凸部３４ａと嵌合した第３凹部２２ｂが形成されている。
【００２６】
第４連結片３５と第２下鍔部２６との連結部分には、第４連結部２ｄが形成されている。
第４連結片３５は、連結筒状部３１の下端外周から第２ボビン側に突出しており、第４連結片３５の筒軸方向上面に、上方に向けて突出した第４凸部３５ａが設けられている。第２下鍔部２６の筒軸方向の下面には、第４連結片３５と連結した第４連結溝２６ａと、第４連結溝２６ａの底部に第４凸部３５ａと嵌合した第４凹部２６ｂが形成されている。
【００２７】
連結筒状部３１は、平面視で、第１ボビン１０と第２ボビン２０の間に、筒軸方向と並行に配置されている。
【００２８】
また、平面視で、図４に示す連結部材３０の全幅Ｗ１は、図３に示すコアの内周Ｒにおける全幅Ｗ２より若干小さい。
【００２９】
また、平面視で、図４に示す連結部材３０の筒軸方向の全長Ｌ１は、図３に示すコアの内周Ｒにおける筒軸方向の全長Ｌ２より若干小さい。
【００３０】
また、平面視で、図４に示す連結部材３０の筒軸方向の全長Ｌ１は、第１ボビンと第２ボビンの筒軸方向の全長Ｌ０より短い。
【００３１】
また、平面視で、図４に示す連結部材３０の筒軸方向の全長Ｌ１は、図１に示す第１巻線と第２巻線の筒状方向の全長Ｌ１１、Ｌ１２より長い。具体的に、第１巻線１９と第２巻線２９は、筒軸方向において、連結部材３０と全て重畳して配置されており、連結部材３０の全長Ｌ１に収まりはみ出さない。これにより図１に示す第１、３連結部２ａ、２ｃは、筒軸方向において、第１根元部４１ａと第１、２巻線１９、２９との絶縁距離を確保する長さＬ７、Ｌ９を得られる。また図１に示す第２、４連結部２ｂ、２ｄは、筒軸方向において、第２根元部４２ａと第１、２巻線１９、２９との絶縁距離を確保する長さＬ８、Ｌ１０を得られる。
【００３２】
つまり、平面視で、第１巻線１９と第１根元部４１ａとの絶縁距離を確保するために、第１連結部２ａは筒軸方向に所定の長さＬ７を有する。
また、平面視で、第１巻線１９と第２根元部４２ａとの絶縁距離を確保するために、第２連結部２ｂは筒軸方向に所定の長さＬ８を有する。
また、平面視で、第２巻線２９と第１根元部４１ａとの絶縁距離を確保するために、第３連結部２ｃは筒軸方向に所定の長さＬ９を有する。
また、平面視で、第２巻線２９と第２根元部４２ａとの絶縁距離を確保するために、第４連結部２ｄは筒軸方向に所定の長さＬ１０を有する。
このような第１〜４連結部２ａ〜２ｄは、筒軸方向において、第１、２根元部と第１、２巻線との絶縁距離を確保する長さＬ７〜Ｌ１０を必要として、所定以下に小さくできないものである。
【００３３】
また、第１連結部２ａの全幅Ｗ３は、第１上鍔部１２の外形から第１筒状部１１の内形までとなっている。
また、第２連結部２ｂの全幅Ｗ４は、第１下鍔部１６の外形から第１筒状部１１の内形までとなっている。
また、第３連結部２ｃの全幅Ｗ５は、第２上鍔部２２の外形から第２筒状部２１の内形までとなっている。
また、第４連結部２ｄの全幅Ｗ６は、第２下鍔部２６の外形から第２筒状部２１の内形までとなっている。
このような第１〜４連結部の全幅Ｗ３〜Ｗ６は、コアの形状や配置により決まるものであり、特に限定されない。
【００３４】
また、正面視で、図４（ｂ）に示すように、連結筒状部の全高Ｈ１は、第１ボビン１０と第２ボビン２０の全高Ｈ２より小さい。
また、正面視で、第１〜４連結部の全高Ｈ３は、連結筒状部の全高Ｈ１より小さい。
また、正面視で、第１〜４連結部の全高Ｈ３は、不図示のコアの全高Ｈ４より小さい。
【００３５】
図４において、平面視で、第１連結片３２の下面と第２連結片３３の上面の筒軸方向の長さＬ３は、第１連結溝１２ａの底面と第２連結溝１６ａの底面の筒軸方向の長さＬ４とほぼ同じである。
また、平面視で、第３連結片３４の下面と第４連結片３５の上面との筒軸方向の長さＬ５は、第３連結溝２２ａの底面と第４連結溝２６ａの底面の筒軸方向の長さＬ６とほぼ同じである。
【００３６】
また、図２（ｂ）において、正面視で、連結部材３０は、第１上下端子台１２ｃ、１６ｃと第２上下端子台２２ｃ、２６ｃの上面に載置している。
具体的に、図４において、第１上端子台１２ｃと第１下端子台１６ｃの連結部材側には、連結筒状部３１を載置する第１上載置部１２ｄと第１下載置部１６ｄが突出して形成されている。また、第２上端子台２２ｃと第２下端子台２６ｃの連結部材側には、連結筒状部３１を載置する第２上載置部２２ｄと第２下載置部２６ｄが突出して形成されている。そして、連結筒状部３１が第１上下載置部１２ｄ、１６ｄと第２上下載置部２２ｄ、２６ｄの上面に載置されている。
【００３７】
コア４０は、図３に示すように、導電性を有する、Ｅ型コアの第１コア４１と第２コア４２からなる。
第１コア４１は、第１根元部４１ａと、第１根元部４１ａの両端から直角方向に一体に延在した、２個の第１側脚４１ｂと、第１側脚４１ｂの間に配置した第１中央脚４１ｃを有する。
第２コア４２は、第２根元部４２ａと、第２根元部４２ａの両端から直角方向に一体に延在した、２個の第２側脚４２ｂと、第２側脚４２ｂの間に配置した第２中央脚４２ｃを有する。
このコア４０は、閉磁路を形成しており、このコア４０と第１、２巻線により、コモンモードノイズとノーマルモードノイズの両方が除去できる。
【００３８】
第１、２側脚４１ｂ、４２ｂの断面外形は、第１、２筒状部１１、１２の断面内形より若干小さい矩形に形成している。
第１、２中央脚の断面外形は、連結筒状部３１の断面内形より若干小さい矩形に形成している。
なお、第１、２側脚の断面外形、第１、２筒状部の断面内形、第１、２中央脚の断面外形、連結筒状部３１の断面内形とは、筒軸方向と直角方向の断面を指す。
【００３９】
また、第１根元部４１ａは、第１上端子台１２ｃと第２上端子台２２ｃの上面に配置されている。第２根元部４２ａは、第１下端子台１６ｃと第２下端子台２６ｃの上面に配置されている。
【００４０】
止め金具（不図示）は、２個のＥ型コアの突き合わせを密着させるためにＵ型に形成されており、筒軸方向から２個のコアを挟むように取り付けられている。
【００４１】
次に、このラインフィルタの組立手順について説明する。
【００４２】
まず、第１端子が固定された単体の第１ボビン１０と、第２端子が固定された単体の第２ボビン２０を用意する。第１ボビン１０の第１筒状部１１に第１巻線１９が自動巻線機により巻回される。また、第２ボビン２０の第２筒状部２１に第２巻線２９が自動巻線機により巻回される。これにより、巻回した第１ボビン１０と第２ボビン２０が得られる。
【００４３】
端子間の位置決めをするため、連結部材３０が第１ボビン１０と第２ボビン２０にそれぞれ連結される。
第１連結片３２と第２連結片３３が第１連結溝１２ａと第２連結溝１６ａに両側から挟み込み、第１凸部３２ａが第１凹部１２ｂに嵌合し、第２凸部３３ａが第２凹部１６ｂに嵌合して、連結部材３０が第１ボビン１０に連結する。
第３連結片３４と第４連結片３５が第３連結溝２２ａと第４連結溝２６ａに両側から挟み込み、第３凸部３４ａが第３凹部２２ｂに嵌合し、第４凸部３５ａが第４凹部２６ｂに嵌合して、連結部材３０が第２ボビン２０に連結する。
【００４４】
すると、第１上下鍔部と第２上下鍔部の外周が連結筒状部３１の側面と接する。また、連結筒状部３１は第１上下載置部と第２上下載置部と接する。
ただし、第１、２巻線の外形と連結部材３０には若干の隙間があり、第１、２巻線の外形は連結部材３０に接しない。
【００４５】
すると、連結部材３０が第１ボビン１０に筒軸方向、幅方向、高さ方向に動かないように固定されると共に、連結部材３０が第２ボビン２０に筒軸方向、幅方向、高さ方向に動かないように固定される。すると、連結ボビンが得られる。
【００４６】
なお、この連結ボビンについて、第１〜４連結部のみの連結のため、第１ボビン１０と第２ボビン２０は相対的に僅かに移動しやすい仮固定であるものの使用上問題となる位置決め精度を超えないものである。
【００４７】
その後、連結ボビンの第１筒状部１１と第２筒状部２１には、第１コア４１と第２コア４２が挿入される。
つまり、第１側脚４１ｂが第１筒状部１１と第２筒状部２１に挿入されると共に第１中央脚４１ｃが連結筒状部３１に挿入される。また、第２側脚４２ｂが第１筒状部１１と第２筒状部２１に挿入されると共に第２中央脚４２ｃが連結筒状部３１に挿入される。
そして、２個の第１側脚４１ｂの先端と２個の第２側脚４２ｂの先端が突き合うと共に、第１中央脚４１ｃの先端と第２中央脚４２ｃの先端が突き合う。
【００４８】
すると、コア４０は、第１上下端子台１２ｃ、１６ｃと第２上下端子台２２ｃ、２６ｃの上面に接する。
また、第１根元部４１ａが、第１上鍔部１２と第１連結片３２に接すると共に、第２上鍔部２２と第３連結片３４に接する。
また、第２根元部４２ａが、第１下鍔部１６と第２連結片３３に接すると共に、第２下鍔部２６と第４連結片３５に接する。
また、図２（ｂ）に示すように、正面視で、コア４０が第１〜４連結部２ａ〜２ｄを隠すように、第１〜４連結部２ａ〜２ｄはコア４０に全て重畳して配置されている。
【００４９】
そして、第１コア４１と第２コア４２は、第１、２ボビンと連結部材に接着剤あるいはワニスで固定して、日の字型コアが形成される。また、第１巻線１９が第１上下端子１３、１７に電気的に接続される。また、第２巻線２９が第２上下端子２３、２７に電気的に接続される。すると、完成品のラインフィルが得られる。
【００５０】
このラインフィルタでは、第１、２中央脚が連結筒状部３１に挿入されているため、第１、２巻線の外周に絶縁テープが巻回されずに、第１、２中央脚と第１、２巻線との絶縁が確保できる。また、第１〜４連結部２ａ〜２ｄは、筒軸方向において、コアと巻線との絶縁距離を確保する必要な長さを有するため、第１根元部４１ａと第１、２巻線１９、２９との絶縁距離や、第２根元部４２ａと第１、２巻線１９、２９との絶縁距離を確保する。
【００５１】
このように実施形態は、第１上鍔部１２と第１下鍔部１６を形成した第１筒状部１１を有する第１ボビン１０と、第１筒状部１１に巻回した第１巻線１９と、第２上鍔部２２と第２下鍔部２６を形成して第１筒状部１１と並行に配置した第２筒状部２１を有する第２ボビン２０と、第２筒状部２１に巻回した第２巻線２９と、第１ボビン１０と第２ボビン２０の間に配置された連結部材３０と、第１上鍔部１２と第２上鍔部２２の上方に配置した第１根元部４１ａと、第１下鍔部１６と第２下鍔部２６の下方に配置した第２根元部４２ａと、第１筒状部１１と第２筒状部２１に挿入した側脚４１ｂ、４２ｂとを有する、閉磁路を形成したコアを、備えている。
また、平面視で、連結部材３０は、コアの内周Ｒの内側に配置され、かつ、第１上鍔部１２と第１下鍔部１６と第２上鍔部２２と第２下鍔部２６に連結されている。
【００５２】
従来例のようなラインフィルタでは、絶縁距離を確保しつつ効率よく使う点でボビンの鍔部に改善の余地がある
そこで、平面視で、連結部材３０は、コアの内周の内側に配置され、かつ、第１上鍔部１２と第１下鍔部１６と第２上鍔部２２と第２下鍔部２６に連結されている。
よって、本例は、コアの根元部と巻線との所定の絶縁距離を確保するための鍔部を、有効に活用できると共に、平面視で、連結部材の外形を従来例のようなベース（連結部材）の外形より小さくできるため、軽量のラインフィルタを提供できる。
また、この実施形態のラインフィルタによれば、コモンモードノイズとノーマルモードノイズの両方を除去できる。
【００５３】
また、連結部材３０は、第１上鍔部１２と第１下鍔部１６と第２上鍔部２２と第２下鍔部２６を有する。
また、第１連結片３２と第２連結片３３と第３連結片３４と第４連結片３５は、第１上鍔部１２と第１下鍔部１６と第２上鍔部２２と第２下鍔部２６に、それぞれ連結されている。
また、正面視で、第１ボビン１０と第２ボビン２０は、同じ全高Ｈ２に形成していると共に、高さ方向で同じ位置に配置している。
また、正面視で、連結部材３０は、第１ボビン１０と第２ボビンの全高以内に、全て配置している。
【００５４】
よって、従来例のようなラインフィルタでは、保持片を除くベース（連結部材）はボビンの下方に配置されて、ラインフィルタの高背化を招いていた。
一方、本例では、正面視で、連結部材は、第１ボビンと第２ボビンの全高以内に、全て配置されているため、従来例のような構成のベース部分、低背化できて、ラインフィルタの小型化を実現できる。
【００５５】
また、連結部材３０は熱可塑性樹脂により形成されている。
また、第１ボビン１０と第２ボビン２０は熱硬化性樹脂により形成されており、第１ボビン１０には第１巻線１９と電気的に接続した第１上端子１３と第１下端子１７と、第２ボビン２０には第２巻線２９と電気的に接続した第２上端子２３と第２下端子２７が固定されている。
本例のラインフィルタの組立時において、巻線の端末を端子に半田接続する際に、熱硬化性樹脂の第１ボビンと第２ボビンは、熱可塑性樹脂の第１ボビンと第２ボビンに比べて、半田熱による形状の変形を小さくできる。
また、連結部材が第１ボビンと第２ボビンに連結される際に、熱可塑性樹脂の第１〜第４連結片は、熱硬化性樹脂の第１〜第４連結片に比べて、弾性変形しやすいため外側に広がりやすく、第１〜第４連結溝に組立しやすい。
【００５６】
本発明は以上の実施形態に限定するものではなく、その要旨の範囲内で種々に変更することができるものである。
【００５７】
（変形例１）
例えば、実施形態のラインフィルタのコア４０は、２個のＥ型コアからなる日の字型コアであるが、コアに閉磁路が形成されるなら、２個のＵ型コアからなるＯ型コアでもよい。
２個のＵ型コアは、第１コアと第２コアからなる。この第１コアは、第１根元部と、第１根元部の両端から直角方向に延在した２個の第１側脚を有する。この第２コアは、第２根元部と、第２根元部の両端から直角方向に延在した２個の第２側脚を有する。
そして、第１側脚が第１筒状部と第２筒状部に挿入される。また第２側脚が第１筒状部と第２筒状部に挿入される。
この変形例１は、コアの根元部と巻線との所定の絶縁距離を確保するための鍔部を、有効に活用できると共に、平面視で、連結部材の外形を、従来例のようなベース（連結部材）の外形より小さくできるため、軽量のラインフィルタを提供できる。
さらに、この変形例１は、主にコモンモードノイズを除去できるものの、実施形態のような中央脚がなくコアの軽量化を図ることができるため、より軽量のラインフィルタを提供できる。
【００５８】
（変形例２）
また、実施形態では、第１、２中央脚が連結筒状部３１に挿入されているため、第１、２中央脚と第１、２巻線との絶縁が確保されるが、第１、２中央脚と第１、２巻線との所定の絶縁距離を確保できれば、連結筒状部の形状はこれに限らない。
例えば、連結筒状部の筒軸方向と直角方向の断面上辺が開口された断面略Ｕ形の変形連結筒状部が用いられてもよい。この場合、第１、２中央脚と第１、２巻線との所定の絶縁距離を確保するため、変形連結筒状部の筒軸方向と直角方向の断面左辺上端と断面右辺上端が高さ方向上側に延びて第１ボビン１０と第２ボビン２０の上端より高い構造でもよい。この変形連結筒状部は連結筒状部に含まれるものである。
【００５９】
（変形例３）
また、実施形態では、第１〜４連結部は、第１〜４凸部を有する第１〜４連結片と、底部に第１〜４凹部を有する第１〜４連結溝からなるが、連結部材３０が第１ボビン１０と第２ボビン２０に連結されるならば、これに限らない。
【００６０】
例えば図５に示すように以下のような第１〜４連結部としてもよい。
第１連結部は、連結筒状部３１の上端外周から第１ボビン側に突出した第１凸部５１ａと、第１上鍔部１２の外周に形成して第１凸部５１ａと嵌合した第１凹部５１ｂからなる。
第２連結部は、連結筒状部３１の下端外周から第１ボビン側に突出した第２凸部５２ａと、第１下鍔部１６の外周に形成して第２凸部５２ａと嵌合した第２凹部５２ｂからなる。
第３連結部は、連結筒状部３１の上端外周から第２ボビン側に突出した第３凸部５３ａと、第２上鍔部の外周に形成して第３凸部５３ａと嵌合した第３凹部５３ｂからなる。
第４連結部は、連結筒状部３１の下端外周から第２ボビン側に突出した第４凸部５４ａと、第２下鍔部の外周に形成して第４凸部５４ａと嵌合した第４凹部５４ｂからなる。
第１凸部５１ａと第２凸部５２ａとの筒軸方向の長さは、第１凹部５１ｂと第２凹部５２ｂとの筒軸方向の長さとほぼ同じである。
また、第３凸部５３ａと第４凸部５４ａとの筒軸方向の長さは、第３凹部５３ｂと第４凹部５４ｂとの筒軸方向の長さとほぼ同じである。
そして、第１凸部５１ａが第１凹部５１ｂに嵌合して、第２凸部５２ａが第２凹部５２ｂに嵌合して、連結部材３０が第１ボビン１０に連結する。
また、第３凸部５３ａが第３凹部５３ｂに嵌合して、第４凸部５４ａが第４凹部５４ｂに嵌合して、連結部材３０が第２ボビン２０に連結する。
【００６１】
（変形例４）
また、実施形態では、ラインフィルタ組立中での連結ボビンについて、第１〜４連結部のみの連結のため、第１ボビン１０と第２ボビン２０は、相対的に僅かに移動しやすいものの、連結強度を高めるため、第１ボビン１０と第２ボビン２０に連結構造が追加されてもよい。連結構造は、例えば、正面視で、第１上載置部１２ｄの側面と第２上載置部２２ｄの側面が互いに凹凸嵌合して、かつ、第１下載置部１６ｄの側面と第２下載置部２６ｄの側面が互いに凹凸嵌合するものである（不図示）。すると、ラインフィルタ組立中での連結ボビンについて、第１ボビン１０と第２ボビン２０は、相対的に移動しにくくなり、組立品質を上げることができる。
【００６２】
（変形例５）
また、実施形態では、第１中央脚の先端と第２中央脚の先端が互いに突き合う２個のＥ型コアであるが、第１中央脚の先端と第２中央脚の先端が若干隙間を配置する２個のＥ型コアでもよい。ただし、この場合のＥ型コアは、第１側脚と第２側脚は互いに突き合うものである。
【００６３】
（変形例６）
また、実施形態のコアは、２個のＥ型コアよりなるが、閉磁路が形成されるなら、この形態に限らず、Ｅ型コアとＩ型コアの組み合わせ等でもよい。この場合、コアの内周とは、Ｅ型コアの根元部と２個の側脚と、Ｉ型コアによって囲まれた内周を指し、平面視で連結部材３０の全体を囲える最小のコアの内周を指す。
【００６４】
（変形例７）
また、変形例１では、コアは、２個のＵ型コアよりなるが、閉磁路が形成されるなら、この形態に限らず、Ｕ型コアとＩ型コアの組み合わせ等でもよい。この場合、コアの内周とは、Ｕ型コアの根元部と２個の側脚と、Ｉ型コアによって囲まれた内周を指す。
【符号の説明】
【００６５】
１          ラインフィルタ
２ａ        第１連結部
２ｂ        第２連結部
２ｃ        第３連結部
２ｄ        第４連結部
１０        第１ボビン
１１        第１筒状部
１２        第１上鍔部
１２ａ      第１連結溝
１２ｂ      第１凹部
１２ｃ      第１上端子台
１２ｄ      第１上載置部
１３        第１上端子
１６        第１下鍔部
１６ａ      第２連結溝
１６ｂ      第２凹部
１６ｃ      第１下端子台
１６ｄ      第１下載置部
１７        第１下端子
１９        第１巻線
２０        第２ボビン
２１        第２筒状部
２２        第２上鍔部
２２ａ      第３連結溝
２２ｂ      第３凹部
２２ｃ      第２上端子台
２２ｄ      第２上載置部
２３        第２上端子
２６        第２下鍔部
２６ａ      第４連結溝
２６ｂ      第４凹部
２６ｃ      第２下端子台
２６ｄ      第２下載置部
２７        第２下端子
２９        第２巻線
３０        連結部材
３１        連結筒状部
３２        第１連結片
３２ａ      第１凸部
３３        第２連結片
３３ａ      第２凸部
３４        第３連結片
３４ａ      第３凸部
３５        第４連結片
３５ａ      第４凸部
４０        コア
４１        第１コア
４１ａ      第１根元部
４１ｂ      第１側脚
４１ｃ      第１中央脚
４２        第２コア
４２ａ      第２根元部
４２ｂ      第２側脚
４２ｃ      第２中央脚
５１ａ      第１凸部
５１ｂ      第１凹部
５２ａ      第２凸部
５２ｂ      第２凹部
５３ａ      第３凸部
５３ｂ      第３凹部
５４ａ      第４凸部
５４ｂ      第４凹部
Ｌ０        第１ボビンと第２ボビンの筒軸方向の全長
Ｌ１        連結部材の筒軸方向の全長
Ｌ２        コアの内周における筒軸方向の全長
Ｌ３        第１連結片の下面と第２連結片の上面の筒軸方向の長さ
Ｌ４        第１連結溝の底面と第２連結溝の底面の筒軸方向の長さ
Ｌ５        第３連結片の下面と第４連結片の上面の筒軸方向の長さ
Ｌ６        第３連結溝の底面と第４連結溝の底面の筒軸方向の長さ
Ｌ７        第１巻線と第１根元部との絶縁距離を確保する所定の長さ
Ｌ８        第１巻線と第２根元部との絶縁距離を確保する所定の長さ
Ｌ９        第２巻線と第１根元部との絶縁距離を確保する所定の長さ
Ｌ１０      第２巻線と第２根元部との絶縁距離を確保する所定の長さ
Ｌ１１      第１巻線の筒軸方向の全長
Ｌ１２      第２巻線の筒軸方向の全長
Ｈ１        連結筒状部の全高
Ｈ２        第１ボビンと第２ボビンの全高
Ｈ３        第１〜４連結部の全高
Ｈ４        コアの全高
Ｒ          コアの内周
Ｗ１        連結部材の全幅
Ｗ２        コアの内周における全幅
Ｗ３        第１連結部の全幅
Ｗ４        第２連結部の全幅
Ｗ５        第３連結部の全幅
Ｗ６        第４連結部の全幅
【図１】
2017163129.tif 000003
【図２】
2017163129.tif 000004
【図３】
2017163129.tif 000005
【図４】
2017163129.tif 000006
【図５】
2017163129.tif 000007